(57)【要約】【目的】本発明は、オフィス等の室内空間を自在に仕切る間仕切りを構成するためのパネルの連結装置に関するものであり、本発明は、簡単な構成で、安価に製作でき、中抜きが可能なだけでなく、中組み連結が可能なパネルの連結装置を提供することを目的とする。【構成】パネルの左右側端面の上下方向に形成された端面側が小さく奥部側が大きな嵌合溝に嵌合する形状の第１嵌合部と、第１嵌合部と対称形の第２嵌合部が一体に形成された所定高さの連結部材を有し、一方のパネルの嵌合溝下端部に第１嵌合部を嵌合し、他方のパネルの嵌合溝の下端部に第２嵌合部を嵌合してパネル同士の下端部を連結すると共に、嵌合溝の下端面を閉塞あるいは開口自在で、嵌合溝の下端面を閉塞した状態で連結部材の下端部を支持する受け部材を、パネルの左右端部の下端部に設けたものである。【選択図】　　図１５
2004116107.tif 000002
【特許請求の範囲】
【請求項１】
パネルの左右側端面の上下方向に形成された端面側が小さく奥部側が大きな嵌合溝に嵌合する形状の第１嵌合部と、第１嵌合部と対称形の第２嵌合部が一体に形成された所定高さの連結部材を有し、一方のパネルの嵌合溝下端部に第１嵌合部を嵌合し、他方のパネルの嵌合溝の下端部に第２嵌合部を嵌合してパネル同士の下端部を連結すると共に、嵌合溝の下端面を閉塞あるいは開口自在で、嵌合溝の下端面を閉塞した状態で連結部材の下端部を支持する受け部材を、パネルの左右端部の下端部に設けたことを特徴とするパネルの連結装置。
【請求項２】
パネルの左右側端面の上下方向に形成された端面側が小さく奥部側が大きな嵌合溝に嵌合する形状の第１嵌合部と、第１嵌合部と対称形の第２嵌合部が一体に形成された所定高さの連結部材を有し、前記嵌合溝と同形の支柱嵌合溝下端部に第２嵌合部を嵌合した状態で支柱に対して連結部材を着脱自在となし、パネルの嵌合溝の下端部に第１嵌合部を嵌合して支柱の下端部とパネルの下端部を連結すると共に、嵌合溝の下端面を閉塞あるいは開口自在で、嵌合溝の下端面を閉塞した状態で連結部材の下端部を支持する受け部材をパネルの左右端部の下端部に設けたことを特徴とするパネルの連結装置。
【請求項３】
パネルの左右側端面の上下方向に形成された端面側が小さく奥部側が大きな嵌合溝と、パネルの左右端部側表裏面の角部に上下方向に渡って形成された、嵌合溝の表裏側の半分の形状を横向きとした表裏凹溝を有するパネルと、嵌合溝に嵌合する形状の第１嵌合部と、第１嵌合部と対称形の第２嵌合部が一体に形成された所定高さの連結部材を有し、一方のパネルの嵌合溝に第１嵌合部を嵌合し、他方のパネルの嵌合溝に第２嵌合部を嵌合してパネル同士を連結した状態で、パネル同士の連結部分の表裏側に、互いの表裏凹溝によってパネル側端面と同形の表裏嵌合溝が形成され、この表裏嵌合溝に新たな連結部材の第１嵌合部を嵌合し、新たなパネルの嵌合溝に第２嵌合部を嵌合してパネル同士を平面視Ｔ字形あるいは十字形に連結可能としたことを特徴とするするパネルの連結装置。
【請求項４】
パネルの左右側端面の上下方向に形成された端面側が小さく奥部側が大きな嵌合溝と、パネルの左右端部側表裏面の角部に上下方向に渡って形成された、嵌合溝の表裏側の半分の形状を横向きとした表裏凹溝を有するパネルと、嵌合溝の下端部に嵌合する形状の第１嵌合部と、第１嵌合部と対称形の第２嵌合部が一体に形成された所定高さの連結部材を有し、一方のパネルの嵌合溝の下端部に第１嵌合部を嵌合し、他方のパネルの嵌合溝の下端部に第２嵌合部を嵌合してパネル同士の下端部を連結した状態で、パネル同士の連結部分の表裏側に、互いの表裏凹溝によってパネル側端面と同形の表裏嵌合溝が形成され、この表裏嵌合溝の下端部に連結部材の第１嵌合部を嵌合し、新たなパネルの嵌合溝の下端部に第２嵌合部を嵌合してパネル同士を平面視Ｔ字形あるいは十字形に連結すると共に、嵌合溝の下端面を閉塞あるいは開口自在で、嵌合溝の下端面を閉塞した状態で連結部材の下端部を支持する受け部材をパネルの左右端部の下端部に設けたことを特徴とするパネルの連結装置。
【発明の詳細な説明】
【０００１】
【発明の属する技術分野】
本発明は、オフィス等の室内空間を自在に仕切る間仕切りを構成するためのパネルの連結装置に関するものである。
【０００２】
【従来の技術】
従来の間仕切りを構成するためのパネルの連結装置は、下向きのダブテールと上向きのダブテールを上下左右に対称形に一体成形してなる連結ブロックと、下向きのダブテールを上方から収納するあり溝と、上向きのタブテールを下方から収納するあり溝を各側面下部に有するパネルと、下向きのダブテールを上方から収納するあり溝を下部に有する支柱よりなり、パネル同士の下部、パネルと支柱の下部を連結ブロックを介して連結し、上部を連結金具で連結したものであった（例えば、特許文献１参照。）。
【０００３】
上記構成によると、連結されるパネル（支柱）の端面に連結ブロックの上向きのダブテールが突出し、この上向きのダブテールを連結するパネルのあり溝に下方から収納するようにして、順次パネルを連結するものである。
したがって、複数枚のパネルが相互に連結された状態から、通路を構成する等の理由によって、間の一枚のパネルだけ取り外す（以後、中抜きと云う。）必要が生じたとき、パネルの両側端面側で連結ブロックはそれぞれ上下反対方向に収納されているので、間の一枚を持ち上げると連結された他方のパネルも持ち上がることとなり中抜きができなかった。
したがって、連結された状態から間の一枚を取り外す時は、連結された最後の端部側のパネルから順次取り外し、目的のパネルを取り外した後、取り外したパネルを新たに連結し直さなければならなかった。
【０００４】
これを解決する手段として、パネルの側縁部側同士に係り合って連結機構で連結し、連結機構とパネルの係わり合いを解除した際、パネルが厚み方向に沿って移動することを妨げない位置に連結機構が退避するものが提案されている（例えば特許文献２参照。）が、構成部材が多く、連結作業も煩雑で、高価になる欠点があった。
【０００５】
【特許文献１】
特許第２８３２５７７号公報
【特許文献２】
特開２００１−３５５２９９号公報
【０００６】
【本発明が解決しようとする課題】
本発明は、上記問題点を解決する事を課題とし、簡単な構成で、安価に製作でき、中抜きが可能なだけでなく、パネル同士の連結部分に新たな部材を加えることなく別のパネルを連結して、Ｔ字形あるいは十字形に連結構成できる（以後、中組み連結と云う。）パネルの連結装置を提供することを課題とする。
【０００７】
【課題を解決するための手段】
そこで、上記課題を解決する為、本発明の第１の手段として構成したところは、パネルの左右側端面の上下方向に形成された端面側が小さく奥部側が大きな嵌合溝に嵌合する形状の第１嵌合部と、第１嵌合部と対称形の第２嵌合部が一体に形成された所定高さの連結部材を有し、一方のパネルの嵌合溝下端部に第１嵌合部を嵌合し、他方のパネルの嵌合溝の下端部に第２嵌合部を嵌合してパネル同士の下端部を連結すると共に、嵌合溝の下端面を閉塞あるいは開口自在で、嵌合溝の下端面を閉塞した状態で連結部材の下端部を支持する受け部材を、パネルの左右端部の下端部に設けたものである。
【０００８】
次に本発明が第２の手段として構成したところは、パネルの左右側端面の上下方向に形成された端面側が小さく奥部側が大きな嵌合溝に嵌合する形状の第１嵌合部と、第１嵌合部と対称形の第２嵌合部が一体に形成された所定高さの連結部材を有し、前記嵌合溝と同形の支柱嵌合溝下端部に第２嵌合部を嵌合した状態で支柱に対して連結部材を着脱自在となし、パネルの嵌合溝の下端部に第１嵌合部を嵌合して支柱の下端部とパネルの下端部を連結すると共に、嵌合溝の下端面を閉塞あるいは開口自在で、、嵌合溝の下端面を閉塞した状態で連結部材の下端部を支持する受け部材をパネルの左右端部の下端部に設けたものである。
【０００９】
次に本発明が第３の手段として構成したところは、パネルの左右側端面の上下方向に形成された端面側が小さく奥部側が大きな嵌合溝と、パネルの左右端部側表裏面の角部に上下方向に渡って形成された、嵌合溝の表裏側の半分の形状を横向きとした表裏凹溝を有するパネルと、嵌合溝に嵌合する形状の第１嵌合部と、第１嵌合部と対称形の第２嵌合部が一体に形成された所定高さの連結部材を有し、一方のパネルの嵌合溝に第１嵌合部を嵌合し、他方のパネルの嵌合溝に第２嵌合部を嵌合してパネル同士を連結した状態で、パネル同士の連結部分の表裏側に、互いの表裏凹溝によってパネル側端面と同形の表裏嵌合溝が形成され、この表裏嵌合溝に新たな連結部材の第１嵌合部を嵌合し、新たなパネルの嵌合溝に第２嵌合部を嵌合してパネル同士を平面視Ｔ字形あるいは十字形に連結可能としたものである。
【００１０】
次に本発明が第４の手段として構成したところは、パネルの左右側端面の上下方向に形成された端面側が小さく奥部側が大きな嵌合溝と、パネルの左右端部側表裏面の角部に上下方向に渡って形成された、嵌合溝の表裏側の半分の形状を横向きとした表裏凹溝を有するパネルと、嵌合溝の下端部に嵌合する形状の第１嵌合部と、第１嵌合部と対称形の第２嵌合部が一体に形成された所定高さの連結部材を有し、一方のパネルの嵌合溝の下端部に第１嵌合部を嵌合し、他方のパネルの嵌合溝の下端部に第２嵌合部を嵌合してパネル同士の下端部を連結した状態で、パネル同士の連結部分の表裏側に、互いの表裏凹溝によってパネル側端面と同形の表裏嵌合溝が形成され、この表裏嵌合溝の下端部に連結部材の第１嵌合部を嵌合し、新たなパネルの嵌合溝の下端部に第２嵌合部を嵌合してパネル同士を平面視Ｔ字形あるいは十字形に連結すると共に、嵌合溝の下端面を閉塞あるいは開口自在で、、嵌合溝の下端面を閉塞した状態で連結部材の下端部を支持する受け部材をパネルの左右端部の下端部に設けたものである。
【００１１】
【実施例】
以下実施例を図面に基づいて説明する。
図１において、符号１００は、複数枚のパネル１・・・を連結して構成された間仕切りを示している。
間仕切り１００は、複数枚のパネル１・・・と、パネル１同士の下部を連結する連結部材２（図１０に示す。　）・・・と、パネル１同士の上部を直線的に連結する直線連結金具３（図８に示す。）と、直線的に連結されたパネル同士１、１の連結部分に別のパネル１の上部をＴ字形、あるいは十字形、あるいは、他方のパネル１（支柱５）より高さの低いパネル１の上部を連結するための段違い連結金具４（図９に示す。　）と、支柱５を介してパネル１同士の上部を直線的、Ｔ字形、
十字形、Ｌ字形、あるいは、パネル１の上部と支柱５とのみ連結するための、支柱用直線連結金具６（図２６に示す。）　、支柱用Ｔ字形連結金具７（図２７に示す。）
、支柱用十字形連結金具８（図２８に示す。）　、支柱用Ｌ字形連結金具９（図２９に示す。）　、支柱用端部連結金具９０（図３０に示す　。）より構成されている。
【００１２】
パネル１は、図２から図７に示すように、アルミの押し出し成形により形成された、上枠１１、下枠１２、左右の縦枠１３、１３と、上枠１１と左右縦枠１３、１３を連結するアルミ材より形成された左右の上コーナー金具１４と、下枠１２と左右縦枠１３、１３を連結するアルミ材より形成され左右の下コーナー金具１５にて構成されるパネル枠１０と、ベニア板等の表面に布地を貼り付けた表面板１０１、１０１を、パネル枠１０およびパネル枠１０の内部に設けたペーパーハニカム材の表裏面に圧着して構成されている。
【００１３】
上枠１１は、上縁部１１１と、上縁部１１１に前後端部に下方に突出して形成された下向き係止縁１１２、１１２と、上縁部１１１の前後端部の所定寸法内側から表裏面方向に突出し下向き係止縁１１２、１１２と所定間隔を有して形成された上支持突部１１３、１１３と、上支持突部１１３、１１３の内側で下方に突出して形成された表面板上支持突部１１４より内部が空洞とされ、係止縁１１２、１１２と上支持突部１１３、１１３間に左右方向に渡る上係止溝１１０、１１０が形成され、空洞の左右端部を左右の上コーナー金具１４が圧入嵌合する上圧入嵌合孔１１６としている。
【００１４】
下枠１２は、下縁部１２１と、下縁部１２１に前後端部に上方に突出して形成された上向き係止縁１２２、１２２と、下縁部１２１の前後端部の所定寸法内側から表裏面方向に突出し上向き係止縁１２２、１２２と所定間隔を有して形成された下支持突部１２３、１２３と、下支持突部１２３、１２３の内側で上方に突出して形成された表面板下支持突部１２４より内部が空洞とされ、上向き係止縁１２２、１２２と下支持突部１２３、１２３間に左右方向に渡る下係止溝１２０、１２０が形成され、空洞の左右端部を左右の下コーナー金具１５が圧入嵌合する下圧入嵌合孔１２６とした上枠１１と上下対称形に形成されている。
そして、下縁部１２１の所定位置にキャスター３００、アジャスター２００の取付け孔１２７が形成されている。
【００１５】
左右の縦枠１３、１３は左右に対称形に形成されているので、一方側についてのみ説明する。
縦枠１３は、側端面の上下方向に端面側が小さく奥部側が大きく形成された横向き台形状の嵌合溝１３１と、側端部表裏側の角部に上下方向に渡って形成された、嵌合溝１３１の表裏側の半分の形状を横向きとした表裏凹溝１３２、１３２を有する基部１３０と、基部１３０の奥部側に形成された表面板側部支持突部１３３と、表面板側部支持突部１３３の内部に形成された上コーナー金具１４の取付け孔１３４を有する補強リブ１３５より構成され、補強リブ１３５と基部１３０と表面板側部支持突部１３３にて囲まれた下端部を空洞となし、空洞の上下端部を上コーナ金具１４および下コーナー金具１５が圧入嵌合する上下圧入嵌入孔１３６、１３７としている。
【００１６】
上コーナー金具１４は、側端面に嵌合溝１３１、表裏凹溝１３２、１３２と同形の上嵌合切り欠き部１４１、上表裏凹部１４２、１４２を有する上コーナー基板１４３と、上コーナー基板１４３の下面より下方に突出し、前記縦枠１３の上圧入嵌入孔１３６に圧入嵌合する上圧入嵌合突部１４４と、上コーナー基板１４３の奥部側端部から奥部に突出し、前記上枠１１の上圧入嵌合孔１１６に圧入嵌合する上圧入嵌合突部１４５と、上コーナー基板１４３の上面より上方に突出する上コーナーキャップ１４７の上支持突条１４６、１４６より構成され、上コーナー基板１４３には、縦枠１３の補強リブ１３５の取付け孔１３４に対応して、貫通孔１４０が形成されている。
そして、パネル１が間仕切り１００の端部に位置する場合にのみ上コーナー金具１４に上コーナーキャップ１４７が取付けられる。
すなわち、上コーナーキャップ１４７は、縦枠１３の補強リブ１３５の取付け孔１３４および上コーナー金具１４の貫通孔１４０に対応して、取付け孔１４８が形成され、上支持突条１４６、１４６に外嵌し、嵌合溝１３１と、表裏凹溝１３２、１３２の上端面を隠蔽する。
【００１７】
下コーナー金具１５は、側端面に嵌合溝１３１、表裏凹溝１３２、１３２と同形の下嵌合切り欠き部１５１、下表裏凹部１５２、１５２を有する下コーナー基板１５３と、下コーナー基板１５３の上面より上方に突出し、前記縦枠１３の下圧入嵌入孔１３７に圧入嵌合する下圧入嵌合突部１５４と、下コーナー基板１５３の奥部側端部から奥部に突出し、前記下枠１２の下圧入嵌合孔１２６に圧入嵌合する下圧入嵌合突部１５４と、下コーナー基板１５３の下面より下方に突出する下支持突条１５６、１５６より構成されている。
【００１８】
そして、下コーナー基板１５３には、縦枠１３の補強リブ１３５の取付け孔１３４に対応して貫通孔１５０が形成され、下圧入嵌合突部１５５の下面にはアジャスター２００およびキャスター３００の取付け用ナット１５８を保持するナット保持孔１５９が形成され、下圧入嵌合突部１５５の下面端部に、後記する受け部材２０の位置決め凹部１６が段階的形成され、下支持突条１５６、１５６の表裏側にはスライド用凹溝１５７、１５７が形成され、受け部材２０を端面側と奥部側方向にスライド自在に支持している。
【００１９】
受け部材２０（図５にしめす。）は、下コーナー金具１５の下面を隠蔽する底壁２０１と、表裏側内面に前記スライド凹溝１５７、１５７にスライド自在に嵌合するスライド突条２０２、２０２を有し、前記した支持突条１５６、１５６の外側に位置し、底壁２０１の表裏側端部から上方に突出する支持壁２０３、２０３と、支持壁２０３、２０３と底壁２０１の端面側に一体に上方に突出する前壁２０４より構成され、底壁２０１の奥部側端部上面には位置決め凹部１６に対応して位置決め突部２０５が形成され、底壁２０１のほぼ中央部と前壁２０４の表裏方向中央部に連続して上方に突出する膨出部２０６を設け、膨出部２０６には下コーナー基板１５３の貫通孔１５０の対応する位置で、スライド方向に長孔となした貫通孔２０７を形成し、貫通孔２０７の端部側端面を後進ストッパー部２０８とし、奥部側端面を前進ストッパー部２０９としている。
【００２０】
すなわち、受け部材２０は、端面側に最もスライドした状態で、位置決め突部２０５が位置決め凹部１６の最端部１６１に当接した状態で、前壁２０１、支持壁２０３、２０３および膨出部２０６の端面側端部で、縦枠１３の嵌合溝１３１、表裏凹溝１３２、１３２、下嵌合切り欠き部１５１、下表裏凹部１５２、１５２の下端面を閉塞する。
そして、受け部材２０を奥部側スライドさせると位置決め突部２０５は、位置決め凹部１６の中間部１６２を通過した後、最奥部１６３に合致し、最も奥部側にスライドした状態で縦枠１３の嵌合溝１３１、表裏凹溝１３２、１３２、下嵌合切り欠き部１５１、下表裏凹部１５２、１５２の下端面を開口する。
尚、実施例では、受け部材２０はスライド自在に構成されているが、回動自在として、嵌合溝１３１下端面を開口、閉塞するようにしてもよく、その構成を限定するものではない。
【００２１】
上枠１１、下枠１２、左右の縦枠１３、１３、左右の上コーナー金具１４、１４、左右の下コーナー金具１５、１５は上記の如く構成されており、次のようにして組み立てられパネル１を構成する。
まず、上下コーナー金具１４、１５の上下圧入嵌合突部１４４、１５４を縦枠１３、１３の上下端部に形成された上下圧入嵌入孔１３６、１３７に密嵌する。そして、下コーナー金具１５は、受け部材２０の貫通孔２０７、下コーナー金具１５の貫通孔１５０をネジ軸が挿通して、縦枠１３の補強リブ１３５の取付け孔１３４に螺合し、頭部５０１が貫通孔２０７内に突出する連結ネジ５００にて、縦枠１３と強固に連結する。
【００２２】
次に、縦枠１３に取り付けられた上コーナー金具１４の上圧入突部１４５を上枠１１の上圧入嵌合孔１１６に密嵌し、さらに、縦枠１３に取り付けられた下コーナー金具１５の下圧入嵌合突部１５４を、ナット保持孔１５９に取付け用ナット１５８を保持せしめた状態で、下枠１２の下圧入嵌合孔１２６に密嵌する。
次に、他方の縦枠１３に取り付けられた上下コーナー金具１４、１５の上下圧入嵌合突部１４４、１５４を、一方の縦枠１３と連結された上下枠１１、１２の反対側の上下圧入嵌合孔１１６、１２６に密嵌し、パネル枠１０を構成する。
次に、パネル枠１０内にペーパーハニカム材を配置し、ベニア板等の表面に布地を貼り付けた表面板１０１、１０１を、パネル枠１０の表裏側からパネル枠１０、ペーパーハニカム材と圧着させてパネル１を完成させる。
【００２３】
一方、連結部材２（図１０に示す。）は、嵌合溝１３１に嵌合する第１嵌合部２１と、第１嵌合部２１と対称形の第２嵌合部２２を上端部を先細り状となし、アルミ材より一体に所定高さに成形された横断面鼓形に形成されている。
そして、上下方向の所定位置には後記する支柱５に取り付けるための取付け孔２３、２３が形成されている。
【００２４】
直線連結金具３（図８に示す。）は、直線的に併設されたパネル１、１の上コーナー金具１４、１４の上支持突条１４６、１４６、に外嵌し、上コーナー基板１４３、１４３上に位置する下向きコ字形の外被部３１と、外被部３１の中央部下面より下方に突出し、直線的に併設されたパネル１、１の縦枠１３、１３の嵌合溝１３１、１３１および上嵌合切り欠き部１４１、１４１に嵌合する、前記連結部材２と同形の連結脚体３２と、直線的に併設されたパネル１、１の縦枠１３、１３の取付け孔１３４に一致する連結孔３３、３４を有する連結用筒部３５、３６より構成されている。
【００２５】
段違い連結金具４（図９に示す。）は、パネル１の上コーナー金具１４の上支持突条１４６に外嵌し、上コーナー基板１４３上に位置する下向きコ字形の外被部４１と、外被部４１の端部側下面より下方に突出し、直線的に併設されたパネル１、１の縦枠１３、１３の表裏凹溝１３２、１３２によって形成される表裏嵌合溝４００、あるいは他方のパネル１の端部の嵌合溝１３１と、自身の嵌合溝１３１に嵌合する、前記連結部材２と同形の連結脚体４２と、自身のパネル１の縦枠１３の取付け孔１３４に対応する連結孔４３を有する連結用筒部４５より構成されている。
【００２６】
パネル１、連結部材２、直線連結金具３、段違い連結金具４は上記の如く構成され、次のようにして、パネル同士１、１、が連結される。
まず、上コーナーキャップ１４７が取り付けられていない一方のパネル１の受け部材２０を奥部側にスライドさせて（位置決め突条２０５が位置決め凹部１６の最奥部１６３に合致し、後進ストッパー部２０８が連結ネジ５００の頭部５０１に当接した状態　）、縦枠１３の嵌合溝１３１、表裏凹溝１３２、１３２、下嵌合切り欠き部１５１、下表裏凹部１５２、１５２の下端面を開口させ、この開口の下方から、連結部材２の第１嵌合部２１を嵌合溝１３１に嵌合させて、第１嵌合部２１の下端部が嵌合溝１３１内に収納された状態で、受け部材２０を端面側にスライドさせて（位置決め突条２０５が位置決め凹部１６の最端部１６１に合致し、前進ストッパー部２０９が連結ネジ５００の頭部５０１に当接した状態）、開口嵌合溝１３１等の下端を閉塞させる。
【００２７】
すなわち、連結部材２が下方に抜け出るのを阻止した状態で、第２嵌合部２２が、パネル１の端面下端部の外方に突出して取付けられた状態とする。
次に、受け部材２０を奥部側にスライドさせた状態の他方のパネル１の嵌合溝１３１の下端を、前記連結部材２の第２嵌合部２２に上方から嵌合させてパネル同士１、１の下端部を連結する。
この時、連結するパネル１は、アジャスター２００、キャスター３００が床面に当接するので、不測に下方に移動する事がなく、連結部位材２は所定位置で嵌合溝１３１、１３１を介してパネル１、１同士を連結する。
【００２８】
パネル１、１の下端部は上記の如く連結されるか、あるいは、上コーナーキャップ１４７が取り付けられていない一方のパネル１の受け部材２０を端面側にスライドさせて（位置決め突条２０５が位置決め凹部１６の最端部１６１に合致し、前進ストッパー部２０９が連結ネジ５００の頭部５０１に当接した状態　）、縦枠１３の嵌合溝１３１、表裏凹溝１３２、１３２、下嵌合切り欠き部１５１、下表裏凹部１５２、１５２の下端を閉塞させた状態で、連結部材２の第１嵌合部２１を嵌合溝１３１の上方から嵌合させ、さらに下端まで移動させて、連結部材２が下方に抜け出るのを阻止した状態で、パネル１の端面下端部の外方に第２嵌合部２２が突出した状態にとりつける。
【００２９】
次に、受け部材２０を奥部側にスライドさせて（位置決め突条２０５が位置決め凹部１６の最奥部１６３に合致し、後進ストッパー部２０８が連結ネジ５００の頭部５０１に当接した状態　）、縦枠１３の嵌合溝１３１、表裏凹溝１３２、１３２、下嵌合切り欠き部１５１、下表裏凹部１５２、１５２の下面を開口させた他方のパネル１の嵌合溝１３１の下端を、前記連結部材２の第２嵌合部２２に上方から嵌合させてパネル同士１、１の下端部を連結する。
【００３０】
次に、突き合わされた状態のパネル１、１の端部の嵌合溝１３１、１３１の上方より、直線連結金具３の連結脚体３２を嵌合して嵌合溝１３１、１３１を連結脚体３２を介して連結し、さらに、連結孔３３、３４とそれぞれのパネル１、１の縦枠１３、１３の取付け孔１３４、１３４を介して連結ネジ６００、６００にてパネル１、１と直線連結金具３を連結する。
このようにして、パネル１・・・は順次直線的に連結される。
【００３１】
上記の如く直線的に連結されたパネル１、１の連結部分に同高さのパネル１、あるいは、低い高さのパネルを中組み連結する場合は、直線的に連結された連結部の直線連結金具３を取り外した状態で、下端の受け部材２０を端面側に位置せしめた状態で、突き合わされた２つの表裏凹溝１３２・・・にて形成される嵌合溝１３１と同形の表裏嵌合溝４００、４００の一方（十字形に連結する場合は両方）の、上端から連結部材２の第１嵌合部２１を嵌合させて、下端部まで移動させて受け部材２０、２０に当接させ、第２嵌合部２２を連結部分の外方に突出した状態とする。
そして、この突出した第２嵌合部２２に、縦枠１３の嵌合溝１３１の下面を開口させたパネル１の嵌合溝１３１の下端を上方から嵌合させて、直線的に連結されたパネル同士１、１の下端部に他のパネル１をＴ字形、あるいは十字形に連結する。
【００３２】
次に、連結されるパネル１が同高さの場合は、表裏嵌合溝４００、４００等の一方（十字形に連結する場合は両方）と、Ｔ字形に連結されたパネル１の嵌合溝１３１の上部に、段違い連結金具４の連結脚体４２を嵌合した状態で、連結孔４３と自身のパネル１の縦枠１３の取付け孔１３４を介して連結ネジ６００にてパネル１と連結し、さらに、取り外された直線連結金具３を連結ネジ６００、６００にて直線状態のパネル１、１と連結する。
【００３３】
一方、連結されるパネル１の高さが低い場合は、表裏嵌合溝４００、４００の一方（十字形に連結する場合は両方）の上部に段違い連結金具４の連結脚体４２の半分を嵌合した状態で下方に移動させて、Ｔ字形に連結されたパネル１の嵌合溝１３１等の上部に、連結脚体４２の他の半分を嵌合して、連結脚体４２を介して、嵌合溝１３１と表裏嵌合溝４００、４００（Ｔ字形連結の場合はいずれか一方）を連結した状態で、連結孔４３と自身のパネル１の縦枠１３の取付け孔１３４を介して連結ネジ６００にてパネル１と連結する。
次に、表裏嵌合溝４００に嵌合する連結脚体４２の上方に、表裏嵌合溝４００内に位置して、上がり止め部材４２１と合成樹脂製のカバー体４２３を取付け、さらに、取り外された直線連結金具３を連結ネジ６００、６００にて直線状態のパネル１、１と連結する。
【００３４】
すなわち、上がり止め部材４２１によって、高さの低いパネル１が連結された状態で持ち上げられると、連結脚体４２の上面は、上がり止め部材４２１の下端に当接し、上がり止め部材４２１の上端が直線連結金具３の外被部３１に当接しているので、連結された高さの低いパネル１だけが持ち上がる事はなく、連結されたパネル１・・・全体が持ち上がり、連結状態での運搬等が支障なく行える。
【００３５】
一方、相互に連結されたパネル１・・・から所望のパネル１・・を中抜きする場合、中抜きするパネル１が連結されている直線連結金具３、あるいは、段違い連結金具４、カバー体４２３、上がり止め部材４２１を取り外し、中抜きするパネル１の受け部材２０を奥部側にスライドさせて、嵌合溝１３１等の下端面を開口した状態で、中抜きするパネル１を持ち上げ、連結部材２の第１嵌合部２１、あるいは第２嵌合部２２を、嵌合溝１３１、１３１の下端面より抜き出した後、パネル１を表あるいは裏側に移動して取り外す。
そして、連結部材２を嵌合溝１３１の上端より取り外した後、上コーナーキャップ１４７を連結ネジ６００にて残されたパネルの端部上端に取り付ける。
【００３６】
さらに、端部のパネル１にＬ型に他のパネル１を連結する場合等に必要とされる支柱５（図３１に示す。）は、支柱用直線連結金具６、支柱用Ｔ字形連結金具７、支柱用十字形連結金具８、支柱用Ｌ字形連結金具９、支柱用端部連結金具９０の取付け孔５１を有する補強リブ５２が内部に形成され、空洞の上下端部を上下圧入孔５３、５３となした四角柱状で、四角柱状の４側端面の上下方向に渡って、嵌合溝１３１と同形の支柱嵌合溝５４・・・が形成されている。
【００３７】
支柱用直線連結金具６（図２６に示す。）は、パネル１、１の上コーナー金具１４、１４の上支持突条１４６、１４６、に外嵌し、上コーナー基板１４３、１４３上に位置する下向きコ字形の外装部６１と、外装部６１、６１の中央部に連設された柱外装部６２と、柱外装部６２の下面に突出し、前記支柱５の上圧入孔５３に嵌入する嵌入突条６３・・・と、外装部６１、６１と柱外装部６２間の下面に下方に突出し、縦枠１３、１３の嵌合溝１３１、１３１および上嵌合切り欠き部１４１、１４１および支柱５の支柱嵌合溝５４、５４に嵌合する連結部材２と同形の連結脚部６４、６４と、縦枠１３、１３の取付け孔１３４に一致する連結孔６５、６６を有する連結用筒部６７、６８と、支柱５の取付け孔５１に対応する連結孔６９より構成されている。
【００３８】
支柱用Ｔ字形連結金具７（図２７に示す。）は、Ｔ字形に配設された３枚のパネル１、１、１の上コーナー金具１４、１４、１４の上支持突条１４６、１４６、１４６に外嵌し、上コーナー基板１４３、１４３、１４３上に位置する下向きコ字形で平面視Ｔ字形の外装部７１と、外装部７１の交差部に位置する柱外装部７２と、柱外装部７２の下面に突出し、前記支柱５の上圧入孔５３に嵌入する嵌入突条７３・・・と、柱外装部７２の外側下面に下方に突出し、縦枠１３、１３、１３の嵌合溝１３１、１３１および上嵌合切り欠き部１４１、１４１、１４１および支柱５の支柱嵌合溝５４、５４、５４に嵌合する連結部材２と同形の連結脚部７４、７４、７４と、縦枠１３、１３、１３の取付け孔１３４・・・に一致する連結孔７５・・・を有する連結用筒部７７・・・と、柱外装部７２の中央に形成された支柱５の取付け孔５１に対応する連結孔７９より構成されている。
【００３９】
支柱用十字形連結金具８（図２８に示す。）は、十字形に配設された４枚のパネル１・・・の上コーナー金具１４・・・の上支持突条１４６・・・に外嵌し、上コーナー基板１４３・・・上に位置する下向きコ字形で平面視十字形の外装部８１と、外装部８１の交差部に位置する柱外装部８２と、柱外装部８２の下面に突出し、前記支柱５の上嵌入部５３に嵌入する嵌入突条８３・・・と、柱外装部８２の外側下面に下方に突出し、縦枠１３・・・の嵌合溝１３１・・・および上嵌合切り欠き部１４１・・・および支柱５の支柱嵌合溝５４・・・に嵌合する連結部材２と同形の連結脚部８４・・・と、縦枠１３・・・の取付け孔１３４・・・に一致する連結孔８５・・・を有する連結用筒部８７・・・と、柱外装部８２の中央に形成された支柱５の取付け孔５１に対応する連結孔８９より構成されている。
【００４０】
支柱用Ｌ字形連結金具９（図２９に示す。）は、Ｌ字形に配設された２枚のパネル１、１の上コーナー金具１４、１４の上支持突条１４６、１４６、に外嵌し、上コーナー基板１４３、１４３上に位置する下向きコ字形で平面視Ｌ字形の外装部９１と、外装部９１のコーナー部に連設された柱外装部９２と、柱外装部９２の下面に突出し、前記支柱５の上嵌入部５３に嵌入する嵌入突条９３・・・と、柱外装部９２の外側下面に下方に突出し、縦枠１３、１３の嵌合溝１３１、１３１および上嵌合切り欠き部１４１、１４１および支柱５の支柱嵌合溝５４、５４に嵌合する連結部材２と同形の連結脚部９４、９４と、縦枠１３、１３の取付け孔１３４に一致する連結孔９５、９６を有する連結用筒部９７、９８と、柱外装部９２の中央に形成された支柱５の取付け孔５１に対応する連結孔９９より構成されている。
【００４１】
支柱用端部連結金具９０は、の上コーナー金具１４の上支持突条１４６に外嵌し、上コーナー基板１４３上に位置する下向きコ字形の外装部９０１と、外装部９０１の支柱５側の端部に位置する柱外装部９０２と、柱外装部９０２の下面に突出し、前記支柱５の上嵌入部５３に嵌入する嵌入突条９０３と、外装部９０１と柱外装部９０２間の下面に下方に突出し、縦枠１３の嵌合溝１３１および上嵌合切り欠き部１４１および支柱５の支柱嵌合溝５４に嵌合する連結部材２と同形の連結脚部９０４と、縦枠１３の取付け孔１３４に一致する連結孔９０５を有する連結用筒部９０７と、柱外装部９０２の中央に形成された支柱５の取付け孔５１に対応する連結孔９０９より構成されている。
【００４２】
支柱５、支柱用直線金具６および、支柱用Ｔ字形連結金具７、支柱用十字形連結金具８、支柱用Ｌ字形連結金具９、支柱用端部連結金具９０は、上記の如く構成されており、次のようにしてパネル１・・・と支柱５は連結される。
パネル１の嵌合溝１３１の下端部に嵌合した連結部材２の第２嵌合部２２の上方より、支柱５の支柱嵌合溝５４を嵌合してパネル１と支柱５の下端部を連結する。
次に、支柱５に連結されるパネル１の方向に対応する支柱嵌合溝５４・・・の下端部に、第１嵌合部２１を嵌合し、第２嵌合部２２を支柱５の外方に突出した状態で、連結ネジ（図示せず。）にて上下動しないよう連結部材２を取付ける。そして、この連結部材２の第２嵌合部２２に、パネル１の嵌合溝１３１を嵌合した後、支柱５を上方に引き上げてパネル１の受け部材２０を端面側にスライドさせ、連結部材２の下端部を支持する。
この状態で、連結部材２が連結ネジによって支柱５に連結され、この連結部材２は受け部材２０に支持されているので、支柱５はパネル１に対して、下方に移動することがない。、
【００４３】
支柱５とパネル１は上記の如く連結されるか、あるいは、支柱５にすでに取付けられた連結部材２の第２嵌合部２２に、受け部材２０を奥部側にスライドさせたパネル１の嵌合溝１３１の下端を嵌合した後、受け部材２０を端面側にスライドさせて、支柱５とパネル１の下端部を連結させた状態で、パネル１の連結方向に対応する支柱５の支柱嵌合溝５４の下端部を、すでに連結されたパネル１の嵌合溝１３１の下端部に嵌合した連結部材２の第２嵌合部５２の上方より嵌合し、支柱５を介してパネル１、１の下端部を連結する。
【００４４】
支柱５を介してパネル１、１の下端部を上記の如く連結した後、さらに、支柱５に対し異なった方向にパネル１を連結させて、パネルをＴ字形、十字形に連結する場合は、支柱５の他の支柱嵌合溝５４の下端部に連結部座材２を連結ネジを介して取付けた後、この連結部材２に上記と同様にして、他のパネル１の下端部を連結する。
【００４５】
次に、支柱５とパネル１の上端部に、支柱５を介してパネル１・・・同士の連結角度に対応する支柱用連結金具を選択する。（実施例ではＴ字形に連結されているので、支柱用Ｔ字形連結金具７を選択する。）
そして、図３１、図３２に示すように、支柱用Ｔ字形連結金具７の嵌入突条７３・・・、連結脚部７４、７４、７４を、支柱５の上嵌入部５３と、縦枠１３、１３、１３の嵌合溝１３１、１３１および上嵌合切り欠き部１４１、１４１、１４１および支柱５の支柱嵌合溝５４、５４、５４に嵌合し、さらに、縦枠１３、１３、１３の取付け孔１３４・・・と連結孔７５・・・を、支柱５の取付け孔５１と連結孔７９を一致させ、連結ネジ６００・・・にて、支柱用Ｔ字形連結金具７とパネル１、１、１、支柱５の上部を強固に連結する。
【００４６】
又、十字形に連結する場合、直線状に連結する場合、Ｌ字形に連結する場合は、支柱用十字形連結金具８、支柱用直線連結金具６、支柱用Ｌ字形連結金具９が選択され、上記同様、嵌入突条８３、６３、９３および、連結脚部８４・・・、６４・・、９４・・・を、支柱５の上嵌入部５３と、縦枠１３・・・の嵌合溝１３１・・・、上嵌合切り欠き部１４１・・・および支柱５の支柱嵌合溝５４・・・
、に嵌合し、さらに、縦枠１３・・・の取付け孔１３４・・・と連結孔８５、６５、９５を、支柱５の取付け孔５１と連結孔８９、６９、９９を一致させ、連結ネジ６００・・・にて強固に連結する。
【００４７】
一方、端部の支柱５に対してパネル１を連結しない場合は、支柱用端部連結金具９０を選択し、嵌入突条９０３と連結脚部９０４を、支柱５の上嵌入部５３と縦枠１３の嵌合溝１３１および上嵌合切り欠き部１４１および支柱５の支柱嵌合溝５４に嵌合し、縦枠１３の取付け孔１３４と連結孔９０５を、支柱５の取付け孔５１と連結孔９０９を一致させ、連結ネジ６００・・・にて強固に連結する。
【００４８】
【発明の効果】
請求項１に記載の発明によると、嵌合溝下端部を開口した状態では、嵌合溝に嵌合した連結部材とパネルの嵌合溝は互いに上下方向に規制されないので、連結部材は下方に抜け出すか、あるいは、一方のパネルを持ち上げると、嵌合溝の下端から連結部材が抜け出して、他のパネルとの連結状態が解除されるので、中抜きが可能となる。
すなわち、請求項１に記載の発明は、嵌合溝の下端を開口、閉塞自在とする受け部材を設けるだけの簡単な構成で、組み立て、中抜きが容易となり、部材点数も少なく安価に製作できるものである。
【００４９】
請求項２に記載の発明によると、前記効果に加え、支柱を介することにより、パネルをＬ字形、Ｔ字形、十字形にも連結可能である。
請求項３に記載の発明によると、パネルと連結部材以外に他の部材を必要とすることなく、直線的に連結されたパネルの連結部分に、他のパネルを追加して、Ｔ字形、十字形に連結が可能である。すなわち、中組み連結が可能である。
【００５０】
請求項４に記載の発明によると、簡単な構成で、中組み連結が可能なだけでなく、中抜きも可能であり、安価に製作できる。
【図面の簡単な説明】
【図１】間仕切りの斜視図
【図２】上コーナー金具の斜視図
【図３】下コーナー金具の斜視図
【図４】受け部材を奥部側にスライドさせた状態の下コーナー金具の斜視図
【図５】下コーナー金具の分解斜視図
【図６】パネル枠の上角部の分解斜視図
【図７】パネル枠の下角部の分解斜視図
【図８】直線連結金具の斜視図
【図９】段違い連結金具の斜視図
【図１０】連結部材の斜視図
【図１１】パネル同士が直線的に連結される場合の上部分解斜視図
【図１２】パネル同士が直線的に連結される場合の下部分解斜視図
【図１３】パネル同士が直線的に連結された状態の上部の要部断面図
【図１４】図１３のＡ−Ａ線断面図
【図１５】パネル同士が直線的に連結された状態の下部の要部断面図
【図１６】図１５のＢ−Ｂ線断面図
【図１７】図１５のＣ部拡大図
【図１８】受け部材を奥部側にスライドさせた状態の要部断面図
【図１９】図１７のＤ−Ｄ線断面図
【図２０】パネル同士がＴ字形に連結される場合の上部分解斜視図
【図２１】パネル同士がＴ字形に連結される場合の下部分解斜視図
【図２２】パネル同士がＴ字形に連結された状態の上部の要部断面図
【図２３】パネル同士がＴ字形に連結された状態の下部の要部断面図
【図２４】パネル同士が高さ違いで連結された状態の上部の要部断面図
【図２５】図２４のＥ−Ｅ線断面図
【図２６】支柱用直線連結金具の斜視図
【図２７】支柱用Ｔ字形連結金具の斜視図
【図２８】支柱用十字形連結金具の斜視図
【図２９】支柱用Ｌ字形連結金具の斜視図
【図３０】支柱用端部連結金具の斜視図
【図３１】支柱を介してパネルがＴ字形に連結された状態の上部の要部断面図
【図３２】支柱を介してパネルがＴ字形に連結された状態の下部の要部断面図
【符号の説明】
１　　　　　　　　　パネル
１３１　　　　　　　嵌合溝
１３２、１３２　　　表裏凹溝
２　　　　　　　　　連結部材
２０　　　　　　　　受け部材
２１　　　　　　　　第１嵌合部
２２　　　　　　　　第２嵌合部
４００、４００　　　表裏嵌合溝
５　　　　　　　　　支柱
５４　　　　　　　　支柱嵌合溝
【図１】
2004116107.tif 000003
【図２】
2004116107.tif 000004
【図３】
2004116107.tif 000005
【図４】
2004116107.tif 000006
【図５】
2004116107.tif 000007
【図６】
2004116107.tif 000008
【図７】
2004116107.tif 000009
【図８】
2004116107.tif 000010
【図９】
2004116107.tif 000011
【図１０】
2004116107.tif 000012
【図１１】
2004116107.tif 000013
【図１２】
2004116107.tif 000014
【図１３】
2004116107.tif 000015
【図１４】
2004116107.tif 000016
【図１５】
2004116107.tif 000017
【図１６】
2004116107.tif 000018
【図１７】
2004116107.tif 000019
【図１８】
2004116107.tif 000020
【図１９】
2004116107.tif 000021
【図２０】
2004116107.tif 000022
【図２１】
2004116107.tif 000023
【図２２】
2004116107.tif 000024
【図２３】
2004116107.tif 000025
【図２４】
2004116107.tif 000026
【図２５】
2004116107.tif 000027
【図２６】
2004116107.tif 000028
【図２７】
2004116107.tif 000029
【図２８】
2004116107.tif 000030
【図２９】
2004116107.tif 000031
【図３０】
2004116107.tif 000032
【図３１】
2004116107.tif 000033
【図３２】
2004116107.tif 000034